(57)【要約】　　　（修正有）【課題】携帯電話などの携帯型の情報端末を被情報提供装置として、広告などの情報を簡単に携帯端末に取得させ、さらに携帯端末同士で口コミ類似の情報伝達が可能な情報伝達手段を交換する方法を提供し、消費者同士の口コミ類似の情報伝達を情報提供者が追跡し分析することで産業活動に役立てることが出来るシステムを構築する。【解決手段】口コミ類似の情報伝達が可能な情報伝達手段をプログラムによって記述し、情報提供者が情報提供装置を利用して、消費者の被情報提供装置に送信する。情報伝達手段は消費者が所持する被情報提供装置上で動作し、且つ消費者の被情報提供装置間相互で転送が可能であり、被情報提供装置が情報伝達手段に記述された接続先の情報処理装置に接続することで、情報提供者が口コミ類似の情報伝達を追跡し記録し分析することが出来る。【選択図】　図１
2004070541.tif 000002
【特許請求の範囲】
【請求項１】
被情報提供装置に対して通信インターフェイスを利用して情報の送信を行う情報提供装置であって、送信する情報に少なくとも接続用情報が含まれることによって、被情報提供装置が通信インターフェイスを利用して接続用情報が示す接続先に接続できるようにすることを特徴とする情報提供装置。
【請求項２】
情報提供装置から通信インターフェイスを利用して情報の受信を行う被情報提供装置であって、受信する情報に含まれる接続用情報によって、通信インターフェイスを利用して接続用情報が示す接続先に接続することを特徴とする被情報提供装置。
【請求項３】
被情報提供装置に対して通信インターフェイスを利用して情報の送信を行う情報提供装置を備え、さらに情報提供装置が情報を送信する被情報提供装置ごとに被情報提供装置又は被情報提供装置の所有者を認識する情報及び／又は属性情報を生成する手段を備え、情報提供装置が被情報提供装置に対して送信する情報に少なくとも被情報提供装置又は被情報提供装置の所有者を、認識する情報及び／又は属性情報と、被情報提供装置が情報を受信した後に接続する先の接続用情報とが含まれ、被情報提供装置が接続用情報が示す接続先の情報処理装置に接続した際に、接続先の情報処理装置が被情報提供装置を認識する情報及び／又は属性情報を判別することにより、接続先の情報処理装置が接続してきた被情報提供装置を特定できることを特徴とする情報提供システム。
【請求項４】
被情報提供装置に対して通信インターフェイスを利用して情報の送信を行う装置であって、情報提供装置が当該情報提供装置の特定情報を持ち、さらに情報提供装置が情報を送信する被情報提供装置に当該被情報提供装置を認識する情報及び／又は属性情報を生成する手段を備え、情報提供装置が被情報提供装置に対して送信する情報に少なくとも当該情報提供装置を認識する情報と、当該被情報提供装置を認識する情報及び／又は属性情報と接続用情報とが含まれ被情報提供装置が接続用情報が示す接続先の情報処理装置に接続した際に、接続先の情報処理装置が情報提供装置の特定情報と被情報提供装置を認識する情報及び／又は属性情報を判別することにより、被情報提供装置及び／または、被情報提供装置がどの情報提供装置から情報を受信したのかを特定できることを特徴とする情報提供システム。
【請求項５】
請求項１の発明において、情報提供装置から被情報提供装置に情報を送信する手段が近距離無線通信インターフェイスであることを特徴とする情報提供装置。
【請求項６】
請求項５の発明において、近距離無線通信インターフェイスが赤外線通信インターフェイスであることを特徴とする、情報提供装置。
【請求項７】
請求項５の発明において、近距離無線通信インターフェイスがブルートゥース通信インターフェイスであることを特徴とする、情報提供装置。
【請求項８】
請求項５の発明において、近距離無線通信インターフェイスがＩＥＥＥ８０２．１１準拠の通信インターフェイスであることを特徴とする、情報提供装置。
【請求項９】
請求項２の発明において、被情報提供装置に情報が情報提供装置から情報を受信する手段が近距離無線通信インターフェイスであることを特徴とする被情報提供装置。
【請求項１０】
請求項９の発明において、被情報提供装置に情報が情報提供装置から情報を受信する手段が赤外線通信インターフェイスであることを特徴とする被情報提供装置。
【請求項１１】
請求項９の発明において、被情報提供装置に情報が情報提供装置から情報を受信する手段がブルートゥース通信インターフェイスであることを特徴とする被情報提供装置。
【請求項１２】
請求項９の発明において、被情報提供装置に情報が情報提供装置から情報を受信する手段がＩＥＥＥ８０２．１１準拠の通信インターフェイスであることを特徴とする被情報提供装置。
【請求項１３】
請求項３から請求項４の発明において、情報提供装置と被情報提供装置間の通信インターフェイスが近距離無線通信インターフェイスであることを特徴とする情報提供システム。
【請求項１４】
請求項１３の発明において、情報提供装置と被情報提供装置間の通信インターフェイスが赤外線通信インターフェイスであることを特徴とする情報提供システム。
【請求項１５】
請求項１４の発明において、情報提供装置と被情報提供装置間の通信インターフェイスが赤外線通信インターフェイスであることを特徴とする情報提供システム。
【請求項１６】
請求項１５の発明において、情報提供装置と被情報提供装置間の通信インターフェイスが赤外線通信インターフェイスであることを特徴とする情報提供システム。
【請求項１７】
請求項１の発明において情報提供装置から被情報提供装置に送信する情報が被情報提供装置内で動作可能なプログラムであることを特徴とする、情報提供装置。
【請求項１８】
請求項２の発明において、被情報提供装置が受信した情報を通信インターフェイスを用いて他の情報提供装置に情報を転送する事を特徴とする被情報提供装置であって、転送する情報に少なくとも接続先の情報が含まれていることを特徴とする被情報提供装置。
【請求項１９】
請求項１８の発明において、さらに転送する情報に少なくとも接続先の情報と、被情報提供装置を認識する情報及び／または属性情報が含まれていることを特徴とする被情報提供装置。
【請求項２０】
請求項１８および請求項１９の発明において、被情報提供装置相互の通信インターフェイスが近距離無線通信インターフェイスであることを特徴とする被情報提供装置。
【請求項２１】
請求項２および請求項１８および請求項１９および請求項２０の発明において、被情報提供装置が情報提供装置から受信する情報、及び／又は被情報提供装置が他の被情報提供装置に転送する情報が被情報提供装置内で動作可能なプログラムであることを特徴とする、情報提供装置。
【請求項２２】
請求項３から請求項４の発明において、被情報提供装置が受信した情報を通信インターフェイスを用いて他の情報提供装置に情報を転送する事を特徴とする情報提供システムであって、転送する情報に少なくとも接続先の情報が含まれていることを特徴とする情報提供システム。
【請求項２３】
請求項２２の発明において、さらに転送する情報に少なくとも接続先の情報と、被情報提供装置を認識する情報及び／または属性情報が含まれていることを特徴とする情報提供システム。
【請求項２４】
請求項２２および請求項２３の発明において、被情報提供装置相互の通信インターフェイスが近距離無線通信インターフェイスであることを特徴とする情報提供システム。
【請求項２５】
請求項３および請求項４および請求項２２および請求項２３および請求項２４の発明において、被情報提供装置が情報提供装置から受信する情報、及び／又は被情報提供装置が他の被情報提供装置に転送する情報が被情報提供装置内で動作可能なプログラムであることを特徴とする、情報提供装置。
【請求項２６】
請求項１７および請求項２１および請求項２５の発明において　被情報提供装置がプログラムを受信すると、当該プログラムが当該被情報提供装置を制御し、接続先の情報処理装置に接続する事を特徴とする情報提供方法。
【請求項２７】
請求項１から請求項２６のいずれかの発明において、被情報提供装置が、携帯型の端末であることを特徴とする、被情報提供装置。
【請求項２８】
請求項１から請求項２６のいずれかの発明において、被情報提供装置が、携帯型の端末であることを特徴とする、情報提供システム。
【請求項２９】
請求項１から請求項２６のいずれかの発明において、被情報提供装置が、携帯電話であることを特徴とする、被情報提供装置。
【請求項３０】
請求項１から請求項２６いずれかの発明において、被情報提供装置が、携帯電話であることを特徴とする、情報提供システム。
【請求項３１】
請求項１から請求項３０の発明において、情報提供装置が広告に付与されていることを特徴とする情報提供システム。
【請求項３２】
請求項１から請求項３１の発明において、情報提供装置が、車両内に設置されていることを特徴とする情報提供システム。
【請求項３３】
請求項１から請求項３２の発明において、接続先の情報がＵＲＬであることを特徴とする情報提供方法。
【請求項３４】
請求項１から請求項３３の発明において、接続先の情報処理装置がインターネット上のサーバーであることを特徴とする情報提供システム。
【請求項３５】
請求項１８から請求項２６の発明において、他の被情報提供装置に情報を転送する際に、被情報提供装置のプログラムが、新たに他の被情報提供装置を認識する情報を生成し、転送する情報に当該他の被情報提供装置を認識する情報を付加する事を特徴とする情報伝達方法。
【請求項３６】
請求項１８から請求項２６の発明において、情報を転送された他の被情報提供装置が、当該情報に含まれる接続用情報を基に、接続先の情報処理装置に接続すると、当該情報処理装置が他の被情報提供装置を認識する情報を生成し、当該被情報提供装置へ送信することを特徴とする情報伝達方法。
【請求項３７】
請求項３５および請求項３６の発明において、接続先の情報装置が情報提供装置と被情報提供装置、及び／または被情報提供装置相互の情報伝達経路情報を記憶することを特徴とする情報伝達方法。
【請求項３８】
請求項１７および請求項２１および請求項２５の発明において、被情報提供装置内でどうさするプログラムが、当該被情報提供装置の属性情報を取得することを特徴とする情報提供方法。
【請求項３９】
請求項１から請求項３９のいずれかの発明において、接続先の情報処理装置が、接続してきた被情報提供装置の属性情報及び／または被情報提供装置の所有者の嗜好情報を取得することを特徴とする情報提供システム。
【発明の詳細な説明】
【０００１】
【発明が属する技術分野】
【従来の技術】
産業で利用される様々な情報提供手段がある。殊に広告やＰＲは現代の産業では欠かせない情報伝達手法である。
大規模な情報提供手段としてはＴＶやラジオ放送によるもの、新聞や雑誌などの印刷媒体によるもの、町中や交通機関におけるポスターや車内広告よるものなどがある。また最近ではインターネットを利用した情報伝達などがある。
【０００２】一方基本的な情報伝達手段として、口コミ（＝人間同士の対面口頭によるミュニケーション）がある、大規模な広告やＰＲによることなく、口コミによってヒットしたといわれる商品や飲食店などは多数ある。
【０００３】最近ではこれら口コミの効果について研究した出版物もある、例えば「バイラルマーケティング（Ｓｅｔｈ　Ｇｏｄｉｎ著　大橋　禅太朗訳　翔栄社）」には、以下のような解説が付されている。（「情報があふれている現在、単なる広告は既に効力を発揮できない」と喝破した著者は、本作では「物があふれかえっている現在、パーミションを得る商品とは顧客同士のコミュニケーションの輪の中にうまく情報を伝えられるものだ」と語る。翔栄社のホームページｈｔｔｐ：／／ｗｗｗ．ｓｈｏｅｉｓｈａ．ｃｏｍ／ｂｏｏｋ／Ｄｅｔａｉｌ．ａｓｐ？ｂｉｄ＝１２０４より転載。）
【０００４】これらの口コミの研究では、「近い立場にある近親（消費）者同士の直接的な情報伝達によるもので、人間関係を土台に持った比較的信頼できる情報伝達であり。商業的な広告などの様に莫大な費用をかけ多くのメディアを使用し何度も繰り返して消費者に情報伝達を行なっても消費者は広告の内容に懐疑的であったりすることに比較し口コミによってもたらされた情報には消費者は比較的信頼を置く」と言う。
【０００５】またそこから、「消費者の認知を得るためには、多くのチャネルと繰り返しと莫大な費用を必要とするにも関わらず、消費者へのインパクトが薄れてしまっており、さらに消費者からの信頼感が比較的不足しているため、費用対効果的に不効率な、従来の広告やＰＲの手法に替えて口コミを広告やＰＲなどの新たな情報伝達の手法として利用することにより大きな効果が得られる。」という予測も導かれている。
【発明が解決しようとする課題】
一般的に広告やＰＲなどを大規模な情報提供手段によってを行うには多額の費用が必要である。
【０００６】特に広告やＰＲは本来はその内容に興味を持ち購買や行動の対象となる人々の目に触れさせるものであが、そのためには不特定多数の多くの人々の目に触れるよう多くの媒体と機会を利用して対象とする消費者への露出の大きさ（到達率：リーチ）を高めようとする。
【０００７】しかしこのためにはさらに莫大な費用を必要とする。これらの広告費は現代の産業には必要不可欠とまで言われているが結果的には供給者と消費者への大きな負担増を招く結果となっている。
【０００８】また、効率良く広告やＰＲなどの情報伝達を行う方法として、対象となる被情報情報伝達者（消費者）を選択するという試みもなされている。
【０００９】具体的には対象の消費者がアクセスしていると思われる特定の雑誌や特定のＴＶ番組や特定の地域への広告を行うというものである。
【００１０】しかしこの方法はこれらのメディアに対する購読者や視聴者に対象の消費者が多く含まれているであろうという推定によって広告を行う手法であるにとどまり。当該広告やＰＲの対象（消費）者のみに効率的に広告やＰＲを行うことは実際的には困難だった。
【００１１】さらに前述の書籍のように、現代では広告やＰＲがあまりにも氾濫しすぎて、広告やＰＲの消費者に対する訴求効果そのものや、消費者の広告やＰＲへの信頼が薄れているというでも指摘もある。
【００１２】一方、口コミには、上述したような良い特徴があり、安価で且つ効果的な広告やＰＲの効果が期待できる。
【００１３】しかし、口コミの問題点として、人間の記憶力に頼って口頭で情報を伝達するため不正確でありという問題がある。
【００１４】さらに、企業などをはじめとする元々の情報提供者は、口コミによって、どのような人々にどの程度情報が伝達されたのかを確かめる手段がない。消費者から、広告やＰＲによる情報提供に対して反応があった際に、口コミによるものかどうかを判断することが困難だった。
【００１５】口コミを効果的な広告及びＰＲ手段として使用した場合、その効果を正確に測定する方法が存在していなかった。
【００１６】以上のような理由により、口コミを産業的に利用でき且つ効果的に実現するシステムや方法は従来ほとんど見られなかった。
【００１７】本発明は以上のような課題を解決するために、多くの国々で人口比率で５０％を越えるが消費者が所持する携帯電話などの携帯型の情報端末を被情報提供装置として、広告などの情報を簡単に携帯端末に取得させ、さらに携帯端末同士で口コミ類似の情報伝達が可能な情報伝達手段を交換する方法を提供し、消費者同士の口コミ類似の情報伝達を情報提供者が追跡し分析することで産業活動に役立てることが出来るシステムを構築する。
【００１８】口コミ類似の情報伝達が可能な情報伝達手段は情報提供者が情報提供装置を利用して、消費者の被情報提供装置に送信することが可能で、消費者のが所持する被情報提供装置で動作し、且つ消費者の被情報提供装置間相互で転送が可能である事が好ましい。
【００１９】情報伝達手段は、少なくとも情報提供者へのアクセスのための接続用の情報と、被情報提供装置又は被情報提供装置の所有者を認識する情報及び／又は属性情報を含むことが好ましい。さらに情報伝達手段は被情報提供装置相互での転送時に新たな被情報提供装置を認識する情報を生成出来ることが好ましい。
【００２０】被情報提供装置の所持する消費者同士が以上のような情報伝達手段を転送する事により、口コミによるものと同様な情報伝達を楽しく簡便に且つ正確に行える様にし、安価で効果的な広告やＰＲの方法及びシステムを実現する。
【００２１】さらに情報伝達手段を転送された消費者が、情報提供者にアクセスする際に情報伝達手段が生成したＩＤを報告することにより、本発明よる情報伝達方法及びシステムの情報伝達効果を測定する手段も併せて実現することにより、広告やＰＲなどの情報提供手段に使用できる、産業上利用価値の高い新たな方法を提供する。
【００２２】
【課題を解決するための手段】
本発明に関わる課題を解決するための手段は以下のようなものである。
【００２３】本発明に関わる情報提供装置は、被情報提供装置に対して通信インターフェイスを利用して情報の送信を行う情報提供装置であって、送信する情報に少なくとも接続用情報が含まれることによって、被情報提供装置が通信インターフェイスを利用して接続用情報が示す接続先に接続できるようにすることを特徴とするものである。
【００２４】本発明に関わる被情報提供装置は、情報提供装置から通信インターフェイスを利用して情報の受信を行う被情報提供装置であって、受信する情報に含まれる接続用情報によって、通信インターフェイスを利用して接続用情報が示す接続先に接続することを特徴とするものである。
【００２５】本発明に関わる情報提供システムは、被情報提供装置に対して通信インターフェイスを利用して情報の送信を行う情報提供装置を備え、さらに情報提供装置が情報を送信する被情報提供装置ごとに被情報提供装置又は被情報提供装置の所有者を認識する情報及び／又は属性情報を生成する手段を備え、情報提供装置が被情報提供装置に対して送信する情報に少なくとも被情報提供装置又は被情報提供装置の所有者を、認識する情報及び／又は属性情報と、被情報提供装置が情報を受信した後に接続する先の接続用情報とが含まれ、被情報提供装置が接続用情報が示す接続先の情報処理装置に接続した際に、接続先の情報処理装置が被情報提供装置を認識する情報及び／又は属性情報を判別することにより、接続先の情報処理装置が接続してきた被情報提供装置を特定できることを特徴とするものである。
【００２６】本発明に関わる情報提供システムは、被情報提供装置に対して通信インターフェイスを利用して情報の送信を行う装置であって、情報提供装置が当該情報提供装置の特定情報を持ち、さらに情報提供装置が情報を送信する被情報提供装置に当該被情報提供装置を認識する情報及び／又は属性情報を生成する手段を備え、情報提供装置が被情報提供装置に対して送信する情報に少なくとも当該情報提供装置を認識する情報と、当該被情報提供装置を認識する情報及び／又は属性情報と接続用情報とが含まれ被情報提供装置が接続用情報が示す接続先の情報処理装置に接続した際に、接続先の情報処理装置が情報提供装置の特定情報と被情報提供装置を認識する情報及び／又は属性情報を判別することにより、被情報提供装置及び／または、被情報提供装置がどの情報提供装置から情報を受信したのかを特定できることを特徴とするものである。
【００２７】本発明に関わる情報提供装置は、情報提供装置から被情報提供装置に情報を送信する手段が近距離無線通信インターフェイスであることを特徴とするものである。
【００２８】本発明に関わる情報提供装置は、近距離無線通信インターフェイスが赤外線通信インターフェイスであることを特徴とするものである。
【００２９】本発明に関わる情報提供装置は、近距離無線通信インターフェイスがブルートゥース通信インターフェイスであることを特徴とするものである。
【００３０】本発明に関わる情報提供装置は、近距離無線通信インターフェイスがＩＥＥＥ８０２．１１準拠の通信インターフェイスであることを特徴とするものである。
【００３１】本発明に関わる被情報提供装置は、被情報提供装置に情報が情報提供装置から情報を受信する手段が近距離無線通信インターフェイスであることを特徴とするものである。
【００３２】本発明に関わる被情報提供装置は、被情報提供装置に情報が情報提供装置から情報を受信する手段が赤外線通信インターフェイスであることを特徴とするものである。
【００３３】本発明に関わる被情報提供装置は、被情報提供装置に情報が情報提供装置から情報を受信する手段がブルートゥース通信インターフェイスであることを特徴とするものである。
【００３４】本発明に関わる被情報提供装置は、、被情報提供装置に情報が情報提供装置から情報を受信する手段がＩＥＥＥ８０２．１１準拠の通信インターフェイスであることを特徴とするものである。
【００３５】本発明に関わる情報提供システムは、情報提供装置と被情報提供装置間の通信インターフェイスが近距離無線通信インターフェイスであることを特徴とするものである。
【００３６】本発明に関わる情報提供システムは、情報提供装置と被情報提供装置間の通信インターフェイスが赤外線通信インターフェイスであることを特徴とするものである。
【００３７】本発明に関わる情報提供システムは、情報提供装置と被情報提供装置間の通信インターフェイスが赤外線通信インターフェイスであることを特徴とするものである。
【００３８】本発明に関わる情報提供システムは、情報提供装置と被情報提供装置間の通信インターフェイスが赤外線通信インターフェイスであることを特徴とするものである。
【００３９】本発明に関わる情報提供方法は、情報提供装置から被情報提供装置に送信する情報が被情報提供装置内で動作可能なプログラムであることを特徴とする、ものである。
【００４０】本発明に関わる情報提供装置は、被情報提供装置が受信した情報を通信インターフェイスを用いて他の情報提供装置に情報を転送する事を特徴とする被情報提供装置であって、転送する情報に少なくとも接続先の情報が含まれていることを特徴とするものである。
【００４１】本発明に関わる情報提供装置は、さらに転送する情報に少なくとも接続先の情報と、被情報提供装置を認識する情報及び／または属性情報が含まれていることを特徴とするものである。
【００４２】本発明に関わる情報提供装置は、被情報提供装置相互の通信インターフェイスが近距離無線通信インターフェイスであることを特徴とするものである。
【００４３】本発明に関わる情報提供装置は、被情報提供装置が情報提供装置から受信する情報、及び／又は被情報提供装置が他の被情報提供装置に転送する情報が被情報提供装置内で動作可能なプログラムであることを特徴とする、ものである。
【００４４】本発明に関わる情報提供システムは、被情報提供装置が受信した情報を通信インターフェイスを用いて他の情報提供装置に情報を転送する事を特徴とする情報提供システムであって、転送する情報に少なくとも接続先の情報が含まれていることを特徴とするものである。
【００４５】本発明に関わる情報提供システムは、さらに転送する情報に少なくとも接続先の情報と、被情報提供装置を認識する情報及び／または属性情報が含まれていることを特徴とするものである。
【００４６】本発明に関わる情報提供システムは、被情報提供装置相互の通信インターフェイスが近距離無線通信インターフェイスであることを特徴とするものである。
【００４７】本発明に関わる情報提供装置は、被情報提供装置が情報提供装置から受信する情報、及び／又は被情報提供装置が他の被情報提供装置に転送する情報が被情報提供装置内で動作可能なプログラムであることを特徴とする、ものである。
【００４８】本発明に関わる情報提供方法は、　被情報提供装置がプログラムを受信すると、当該プログラムが当該被情報提供装置を制御し、接続先の情報処理装置に接続する事を特徴とするものである。
【００４９】本発明に関わる情報提供装置は、被情報提供装置が、携帯型の端末であることを特徴とする、ものである。
【００５０】本発明に関わる情報提供システムは、被情報提供装置が、携帯型の端末であることを特徴とする、ものである。
【００５１】本発明に関わる被情報提供装置は、被情報提供装置が、携帯電話であることを特徴とする、ものである。
【００５２】本発明に関わる被情報提供装置は被情報提供装置が、携帯電話であることを特徴とする、ものである。
【００５３】本発明に関わる情報提供装置は、情報提供装置が広告に付与されていることを特徴とするものである。
【００５４】本発明に関わる情報提供装置は情報提供装置が、車両内に設置されていることを特徴とするものである。
【００５５】本発明に関わる情報提供方法は、接続先の情報がＵＲＬであることを特徴とするものである。
【００５６】本発明に関わる情報提供システムは、接続先の情報処理装置がインターネット上のサーバーであることを特徴とするものである。
【００５７】本発明に関わる情報伝達方法は、他の被情報提供装置に情報を転送する際に、被情報提供装置のプログラムが、新たに他の被情報提供装置を認識する情報を生成し、転送する情報に当該他の被情報提供装置を認識する情報を付加する事を特徴とするものである。
【００５８】本発明に関わる情報伝達方法は、情報を転送された他の被情報提供装置が、当該情報に含まれる接続用情報を基に、接続先の情報処理装置に接続すると、当該情報処理装置が他の被情報提供装置を認識する情報を生成し、当該被情報提供装置へ送信することを特徴とするものである。
【００５９】本発明に関わる情報伝達方法は、接続先の情報装置が情報提供装置と被情報提供装置、及び／または被情報提供装置相互の情報伝達経路情報を記憶することを特徴とするものである。
【００６０】本発明に関わる情報提供方法は、被情報提供装置内でどうさするプログラムが、当該被情報提供装置の属性情報を取得することを特徴とする情報提供方法。
【００６１】本発明に関わる情報伝達システムは、接続先の情報処理装置が、接続してきた被情報提供装置の属性情報及び／または被情報提供装置の所有者の嗜好情報を取得することを特徴とするものである。
【００６２】
【発明の実施の形態】
以下に、図を元に以下に本発明の実施の形態について説明する。
【００６３】ただし以下の説明はあくまでも本発明の実施の形態の一例であって、本発明の範囲を限定するものではない。
【００６４】また各図の中で同一符号は同一または相当する部分を示すので符号が重複する場合にはその説明は省略する。
【００６５】図１は本発明に関わる実施の形態のシステムの例を略示的に示したブロック図である。
【００６６】図１において、３００はインターネットあるいは電話網などのネットワークであり、３５０はインターネット上のＷｅｂサーバー或いは電話問い合わせセンターなどの接続先の情報処理装置であり、本発明に関わる情報を伝達する担対としての情報伝達手段５００を、予めプログラム言語などの手段で構成して記憶している。
【００６７】被情報提供装置が情報提供装置または接続先の情報処理装置に接続するための通信手段であり、３７０及び３７１は携帯電話の基地局或いはホットスポットなどの無線中継装置、３７５及び３７６は携帯電話のあるいはホットスポットのゲートウェイサーバーである、携帯電話の基地局或いはホットスポットなどの無線中継装置である。３７０、３７１及び３７５、３７６は一体化する事も可能である。
【００６８】さらにＳ１、Ｓ２は所持者が所持する被情報提供装置であり、９１は被情報提供装置のディスプレイ、９２は被情報提供装置のメモリ、９３は被情報提供装置のＣＰＵ、９８は被情報提供装置の近距離無線通信の送受信インターフェイス、９９は被情報提供装置の操作部である。
【００６９】インターネット上のサーバー或いは電話問い合わせセンター３５０の記憶装置には、広告やＰＲ或いはＥＣ（エレクトリックコマース：電子商取引）などのための情報が蓄えられており、さらに被情報提供装置へ送信して被情報提供装置上で動作する情報伝達手段５００が予めプログラム言語などで構成され記憶されている。
【００７０】図２は、情報提供装置及び／又は接続先の情報処理装置であるインターネット上のサーバー３５０の概念図である。サーバー３５０の記憶装置６００に、情報伝達手段５００を納めている、情報伝達手段５００は情報生成手段５５０を含んでいる、情報伝達手段５００の詳細については後述する。
【００７１】サーバー３５０の記憶装置には、さらに広告などの詳細情報が含まれていて、情報伝達手段に記述された接続先であっても良いし、インターネット上の他のサーバー（図示しない）に、広告などの詳細情報がホームページの形式などで記憶されていて、そのサーバーの接続先情報（ＵＲＬ）が情報伝達手段に記述されていても良い。
【００７２】例えば被情報提供装置Ｓ１の所持者が、広告やＰＲやＥＣの内容を確認するために被情報提供装置Ｓ１のインターネット接続機能を利用してインターネット上のサーバー３５０にアクセスすると、サーバー３５０の制御装置はアクセスしてきた被情報提供装置に情報伝達手段５００を送信する（送信経路３０１、３０２、３０３）。
【００７３】ただし、アクセスしてきた被情報提供装置Ｓ１に情報伝達手段５００を送信する前に、ＨＴＴＰなどのネットワーク通信を利用して被情報提供装置Ｓ１の表示装置９１を利用して、所持者に対し被情報提供装置に情報伝達手段５００を送信しても良いかを確認する問い合わせ表示を行い、被情報提供装置Ｓ１の所持者がＨＴＴＰなどのネットワーク通信で了承した場合のみ情報伝達手段５００を送信する様にすることも出来る。
【００７４】さらに、被情報提供装置によって、プログラムの実行手段すなわち情報伝達手段の実行手段の実装方法が異なることも考えられるので、サーバー３５０には被情報提供装置Ｓ１の被情報提供装置種別を確認し被情報提供装置Ｓ１に最適な形式の情報伝達手段を送信ための、被情報提供装置種別判断手段と情報伝達手段変換手段が備わっていることが望ましい。
【００７５】被情報提供装置種別を確認する手段として、例えば携帯電話の場合には通信パケットのＨＴＴＰのヘッダにあるＵｓｅｒ−Ａｇｅｎｔタグを見ることで行える。サーバー３５０に各種の被情報提供装置の機種に応じた複数の情報伝達手段５００を用意しておく、あるいは被情報提供装置の機種に応じた最適な情報伝達手段５００を生成する手段を用意しておくことで情報伝達手段変換手段を構成できる。
【００７６】図３は、本発明の別の実施の形態のシステム例その２を略示的に示したブロック図である。
【００７７】図３に示すように、現実世界に設置された広告パネルなどに付加された情報提供装置６から、被情報提供装置Ｓ１が情報伝達手段５００を取得する方法が考えられる。
【００７８】図３において、６は情報提供装置、６１０は情報提供装置の表示手段であり印刷物などを利用しての表示や液晶ディスプレイなどを利用した動画表示装置などが考えられる、６６０は情報提供装置の制御装置であり、８は近距離無線通信の送受信インターフェイスである。
【００７９】図３に示したシステムでは、情報伝達手段５００の内容を情報提供装置６の表示手段６１０に表示された情報に関連した内容にすることで、本発明のシステムの効果がより高まる。
【００８０】図４はシステム例その２のバリエーションを示している。
【００８１】情報提供装置６の制御装置６５０が、インターネット３００に接続し、インターネット上のサーバー３５０から、表示手段６５０に表示する情報と、表示する情報に対応する情報伝達手段５００を受信することで、動的且つ同期的な情報伝達を行うことが出来るようになるとともに、単一の装置で多くの情報を発信することが出来るようになり、情報提供装置の価値を高めることが出来る。
【００８２】図５は情報提供装置６の制御装置６５０を略示的にしめしたブロック図である。
【００８３】図５において、６５０は情報提供装置の制御装置、６１はＣＰＵ、６２はメモリ、６３は端末種別判断手段、６４は不発揮性記憶装置（ハードディス装置など）であり情報伝達手段５００が一時的に蓄積されている、６６は装置ＩＤ付加モジュール、６８は端末別コンテンツ変換装置、６９はＩ／Ｏ装置、２は着脱式の記憶装置のインターフェイス（ＩＣカード等）である。
【００８４】図６は情報提供装置６５０の近距離無線通信インターフェイス８から携帯電話の近距離無線通信インターフェイス９８へ情報伝達手段５００を送信する際の通信シーケンスである。
【００８５】インターネット上の情報提供装置３５０７や現実世界の情報提供装置６から情報伝達手段５００を受信した被情報提供装置Ｓ１は、取得した情報伝達手段５００を同種の近距離無線通信インターフェイスを持つ他の被情報提供装置Ｓ２に送信する事が出来る。（図１の送信経路３０４）。
【００８６】図７は図１、図２、図３における送信経路３０４に対応する。赤外線やブルートゥースなどの近距離無線通信を利用して被情報提供装置同士が情報伝達手段交換を行う際の概念図である。
【００８７】図８は図１、図２、図３における送信経路３０４に対応する。赤外線やブルートゥースなどの近距離無線通信を利用して被情報提供装置同士が情報伝達手段交換を行う際の通信シーケンスの例である。
【００８８】＜情報伝達手段＞
【００８９】図３は情報伝達手段の構成例
である。情報伝達手段５００は情報伝達手段であることを宣言するヘッダーと、本体であるプログラムと、情報伝達手段が搬送するパラメーターと、終了宣言から成る。
【００９０】本発明に関わる情報伝達手段５００には少なくとも接続用の接続先パラメーターが含まれており、好ましくはさらに被情報提供装置又は被情報提供装置の所有者を認識する情報及び／又は属性情報が含まれる。
【００９１】また図３及び図３に示した情報提供装置６を利用して情報伝達手段５００を配信する場合には、情報提供装置６を特定する情報（設置場所やＩＤなど）がパラメーターとして含まれていることにより、様々な場所に設置された情報提供装置の情報伝達効果を測定することが出来る。
【００９２】情報提供者へのアクセスのためのパラメーターの具体例としては、情報提供者の電話番号であったり、情報提供者のＷｅｂサイトのＵＲＬである。
【００９３】具体的に情報伝達手段５００を作成する方法としては、例えばＪＡＶＡ（サンマイクロシステムズの登録商標）やＣ言語などのようなプログラム言語によってソフトウェアとして記述する事が考えられる。
【００９４】ソフトウェアとして記述された情報伝達手段５００は、被情報提供装置Ｓ１やＳ２送信され、被情報提供装置上で動作する。
【００９５】＜情報伝達手段が動作する被情報提供装置の構成＞
【００９６】図１０は情報伝達手段５００が、被情報提供装置Ｓ１やＳ２上で、動作するための仕組み（ハードウェア及びソフトウェアの構成）の例を略示的に示したブロック図である。
【００９７】図１０において９は被情報提供装置のハードウェアであり、以下は被情報提供装置のハードウェアに装備されたソフトウェアの構成である。９００は被情報提供装置の様々な動作を司るＯＳ（オペレーションシステム）である、９４０はＯＳが被情報提供装置の様々な機能、例えばＳＩＭやＵＩＭなどの記憶装置や、近距離無線通信インターフェイスや、ＨＴＭＬのブラウザなどを使うためのＡＰＩ（アプリケーションプログラムインターフェイス）である。
【００９８】９５０は情報伝達手段５００のＡＰＩ（アプリケーションプログラムインターフェイス：ＯＳが様々な機能を使うための仕組み）であり、９１０は、情報伝達手段５００がＪＡＶＡなどのプログラム言語で記述されている場合に必要なプログラム実行環境である。
【００９９】図１０に示すように情報伝達手段５００のプログラムは、ＡＰＩ（アプリケーションプログラムインターフェイス）９５０と情報伝達手段のプログラム実行環境９１０を利用することによって、ＯＳ（オペレーションシステム）を経由して、ＨＴＴＰブラウザーによるインターネットへのアクセスや被情報提供装置のハードウェア９の制御などＯＳが用意した様々な機能を使う事が出来る。
【０１００】情報提供装置が被情報提供装置との間で情報伝達手段５００を送受信する方法としては、情報提供装置と被情報提供装置の間では、インターネットにおける通信手順（例えばＴＣＰ／ＩＰ及びＨＴＴＰなど）、或いは近距離無線通信として、例えば赤外線における通信手順例えばＩｒＤＡ（Ｉｎｆｒａｒｅｄ　ＤａｔａＡｓｓｏｃｉａｔｉｏｎ、１９９３年に設立された赤外線通信の標準化団体、及び当該団体が標準化した赤外線通信規格。ｗｗｗ．ｉｒｄａ．ｏｒｇ）やＩｒＤＡ　の被情報提供装置のためのサブセットである。
【０１０１】ＩｒＭＣ（ＩｒＤＡ　Ｉｎｆｒａｒｅｄ　Ｍｏｂｉｌｅ　Ｃｏｍｍｕｎｉｃａｔｉｏｎ，ｈｔｔｐ：／／ｗｗｗ．ｉｒｄａ．ｏｒｇ／ｓｔａｎｄａｒｄｓ／ｓｐｅｃｉｆｉｃａｔｉｏｎｓ．ａｓｐ）は，ＩｒＤＡの中でも特に携帯電話で使われることを想定して作られた規格、Ｂｌｕｅｔｏｏｔｈ（ブルートゥース、電気通信、コンピューター、ネットワーク分野の世界主要メーカーが参加しているＢｌｕｅｔｏｏｔｈＳＩＧという団体によって技術の標準化が進められている、．４ＧＨｚ帯の電波を使用した小電力データワイヤレス通信システム，ｈｔｔｐ：／／ｗｗｗ．ｂｌｕｅｔｏｏｔｈ．ｃｏｍ／）などの方法が利用できる。
【０１０２】また、被情報提供装置同士で情報伝達手段５００を送受信する方法としては、上述した近距離無線通信インターフェイスを利用する方法が好ましい。
【０１０３】具体例として、例えばＩｒＭＣにより規定された「ｖＴｒｉｇｇｅｒ」を利用することなどが考えられる。
【０１０４】「ｖＴｒｉｇｇｅｒ」とは、ｉアプリ（ＮＴＴＤＯＣＯＭＯの登録商標）の実行環境を備えたＪＡＶＡ（サンマイクロシステムズの登録商標）対応の携帯電話において赤外線通信インターフェイスなどの外部機器連携をサポートするために規定されたオブジェクトフォーマットで、外部機器から赤外線ポートを介して起動指示をおこなうことにより、携帯電話上のｉアプリの起動をおこなうことができる。この機能を応用することにより、例えば特定ＵＲＬから取得したＨＴＭＬよりｉアプリを起動したり、ｉアプリから特定のＵＲＬを指定しブラウザを起動するといったことが可能になる（ｈｔｔｐ：／／ｗｗｗ．ｎｔｔｄｏｃｏｍｏ．ｃｏ．ｊｐ／ｐ＿ｓ／ｉｍｏｄｅ／を参照）。
【０１０５】上述した「ｖＴｒｉｇｇｅｒ」をｉアプリ（ＮＴＴＤＯＣＯＭＯの登録商標）として作成し、配布し被情報提供装置で実行するには以下のような手順で必要になる
１，
ｉアプリとダウンロード用のＨＴＭＬファイルを作成する。
２，
ｉアプリとＨＴＭＬをＷｅｂサーバにアップロード
３，
携帯電話からＨＴＭＬファイルを呼び出し
４，
携帯電話にｉアプリのダウンロード
５，
携帯電話でｉアプリの実行
（ｈｔｔｐ：／／ｗｗｗ．ｎｔｔｄｏｃｏｍｏ．ｃｏ．ｊｐ／ｐ＿ｓ／ｉｍｏｄｅ／を参考に記載した）。
【０１０６】さらに、赤外線やブルートゥース通信などで利用できるＯＢＥＸ（：オブジェクトエクスチェンジ）などの通信方法によって情報伝達手段５００を送受信することも出来る。
【０１０７】具体的には、被情報提供装置がＩｒＭＣ　に対応しＩｒＭＣで扱われるデータフォーマットをパーサーするＡＰＩ及びＯＢＥＸ通信プロトコルを搭載した被情報提供装置は、ＯＢＥＸデータを扱うことが可能になる。
【０１０８】＜情報伝達手段のパラメーター＞
【０１０９】情報伝達手段のパラメーターは被情報提供装置に送信されるごとに生成される、パラメーターは被情報提供装置ＩＤなどのパラメーターと、被情報提供装置が情報伝達手段を取得した情報提供装置ＩＤなどの様々な属性ごとのグループパラメーターで構成される。
【０１１０】情報提供装置６の情報伝達手段生成手段６０５が生成し、情報伝達手段が持つパラメーターの例として、図３に示された情報提供装置６から被情報提供装置Ｓ１が情報伝達手段５００を取得した場合には、情報伝達手段５００は情報提供装置６のＩＤパラメーターと被情報提供装置Ｓ１のユニークなＩＤとを合成して生成したパラメーターの例を説明する。
【０１１１】具体例として、情報提供装置６が「渋谷の町に設置された５番目」の広告装置に設置されたものであり、広告内容が「Ａ旅行社」の格安航空券に関したもので「タレントＢ」がキャラクターとして起用されたものであるとする。
【０１１２】さらに、被情報提供装置Ｓ１が情報伝達手段５００を取得した際、「渋谷の町に設置された５番目」の広告装置に設置された情報提供装置から「最初（１番目）に」取得した被情報提供装置であった場合には、例えば以下のような構成のパラメーターを与える。
【０１１３】ｈｔｔｐ：／／ｗｗｗ．Ａｔｒａｖｅｌ．ｃｏ．ｊｐ／ｋａｋｕｙａｓｕ／ｓｈｉｂｕｙａ５／ｂ／０００１／
【０１１４】この、パラメーターの内容は情報提供者へのアクセスのためのパラメーターと、情報提供装置６のＩＤ、及び情報伝達手段５００を取得した被情報提供装置のＩＤがパラメーターとして含まれている。
【０１１５】ｈｔｔｐ：／／ｗｗｗ．Ａｔｒａｖｅｌ．ｃｏ．ｊｐ／ｋａｋｕｙａｓｕ／ｓｈｉｂｕｙａ５／ｂ／０００１／において、情報提供者へのアクセスのためのパラメーターとしてはｈｔｔｐ：／／ｗｗｗ．Ａｔｒａｖｅｌ．ｃｏ．ｊｐ／ｋａｋｕｙａｓｕが相当する、被情報提供装置から情報取得や商品購入のためにアクセスするための情報として「Ａ旅行社」の「格安航空券」のホームページのＵＲＬが記述されている。
【０１１６】さらに情報提供装置６のＩＤとしてはｓｈｉｂｕｙａ５／ｂが相当する。／ｓｈｉｂｕｙａ５は、「渋谷の町に設置された５番目」の広告装置に設置された情報提供装置を示す。／ｂは「タレントＢ」が広告のキャラクターであることを示す。
【０１１７】被情報提供装置のＩＤとしては／０００１／が相当し、情報提供装置から「最初（１番目）に」取得した被情報提供装置あるいはその所持者であることを示す。
【０１１８】情報伝達手段５００は、前述したように被情報提供装置上で動作しＡＰＩやＯＳを経由してブラウザやインターネット接続インターフェイスを操作することにより、自動的に「Ａ旅行社」の「格安航空券」のホームページに自動的に接続することが出来る。
【０１１９】被情報提供装置からのアクセスを受けた、ＵＲＬ「ｈｔｔｐ：／／ｗｗｗ．Ａｔｒａｖｅｌ．ｃｏ．ｊｐ／ｋａｋｕｙａｓｕ」で示される「Ａ旅行社」のサーバーは、パラメーター「ｓｈｉｂｕｙａ５／ｂ／０００１／」を収集し解析することで、アクセスしてきた被情報提供装置（の所持者）が渋谷の町に設置された５番目の広告装置（広告キャラクターはタレントＢ）を見て興味を持ち最初に情報伝達手段５００を取得した被情報提供装置（の所持者）であることが分かる。
【０１２０】＜情報伝達手段の転送方法＞
【０１２１】被情報提供装置Ｓ１の所持者は、近距離無線通信インターフェイスなどを利用して、さらに知人などの被情報提供装置Ｓ２に情報伝達手段５００を送信する事が出来る。
【０１２２】このとき被情報提供装置Ｓ１に記憶された情報伝達手段５００は、知人などの被情報提供装置Ｓ２に送信する情報伝達手段の被情報提供装置ＩＤのパラメーターを上述した様に加算するなどの変更を行った上で送信する。
【０１２３】その結果、被情報提供装置Ｓ２に送信される情報伝達手段５００は以下のような構造のパラメーターを持つ。
【０１２４】ｈｔｔｐ：／／ｗｗｗ．Ａｔｒａｖｅｌ．ｃｏ．ｊｐ／ｋａｋｕｙａｓｕ／ｓｈｉｂｕｙａ５／ｂ／０００１／１
【０１２５】このパラメーターは被情報提供装置Ｓ２が、被情報提供装置Ｓ１から最初に情報伝達手段を転送された被情報提供装置であることを記述している。
【０１２６】同様に、被情報提供装置Ｓ２の所持者は、近距離無線通信インターフェイスなどを利用して、さらに知人などの被情報提供装置Ｓ３（図示しない）に情報伝達手段５００を送信する事が出来る。
【０１２７】このとき被情報提供装置Ｓ２に記憶された情報伝達手段５００は、知人などの被情報提供装置Ｓ３に送信する情報伝達手段の被情報提供装置ＩＤのパラメーターを前述した様に加算するなどの変更を行った上で送信する。
【０１２８】その結果、被情報提供装置Ｓ３に送信される情報伝達手段５００は以下のような構造のパラメーターを持つ。
【０１２９】ｈｔｔｐ：／／ｗｗｗ．Ａｔｒａｖｅｌ．ｃｏ．ｊｐ／ｋａｋｕｙａｓｕ／ｓｈｉｂｕｙａ５／ｂ／０００１／１／１
【０１３０】このパラメーターは被情報提供装置Ｓ３が、被情報提供装置Ｓ１から最初に情報伝達手段を転送された被情報提供装置Ｓ２から、情報伝達手段を転送された被情報提供装置であることを記述している。
【０１３１】被情報提供装置Ｓ２が情報伝達手段５００によってＡ旅行社のサイトへアクセスすると、Ａ旅行社のインターネット上のサーバー３５０は、被情報提供装置Ｓ２のＩＤパラメーターを解析し、被情報提供装置Ｓ２は被情報提供装置Ｓ１から情報伝達手段を転送された被情報提供装置であることを判断することが出来る。
【０１３２】また、被情報提供装置Ｓ３が情報伝達手段５００によってＡ旅行社のサイトへアクセスすると、Ａ旅行社のインターネット上のサーバー３５０は、被情報提供装置Ｓ３のＩＤパラメーターを解析し、被情報提供装置Ｓ３は被情報提供装置Ｓ２から情報伝達手段を転送された被情報提供装置であることを判断することが出来る。
【０１３３】望ましくは情報伝達手段５００を受信した被情報提供装置は、強制的にサーバー３５０にアクセスするする様に情報伝達手段５０を構成することが望ましい。
【０１３４】具体例としては、情報伝達手段５００は受信した被情報提供装置のＡＰＩ及びＯＳ、ブラウザなどの機能を使用して自動的にサーバー３５０にアクセスするようにする。
【０１３５】このとき、情報伝達手段５００を受信した被情報提供装置の所持者にメリットが提供されることが望ましいので、情報伝達手段５００を受信した被情報提供装置が自動的にサーバー３５０のアクセスすることにより、情報伝達手段を受信した被情報提供装置（の所持者）のみに特別に用意されたサービスを提供されることが望ましい。
【０１３６】また、被情報提供装置の所持者が情報伝達手段５００を受信する際に、情報伝達手段５００を受信すると自動的にサーバー３５０にアクセスすることを被情報提供装置の表示装置などに告知し、自動的にサーバー３５０にアクセスすることの許諾を行った所持者のみに情報伝達手段を送信する仕組みを備えることも考えられる。
【０１３７】＜パラメーターの生成方法＞
【０１３８】各端末のユニークなＩＤなどを、生成方法としては、例えば情報伝達手段を被情報提供装置に送信するごとに、被情報提供装置ＩＤパラメーターを一つずつ加算してユニークなＩＤを生成する方法、或いはＲＦＣ　（Ｒｅｑｕｅｓｔ　ｆｏｒ　Ｃｏｍｍｅｎｔｓ：インターネット関連の技術標準を決めるための前準備として幅広いコンセンサスをえるために、ＩＥＳＧ（Ｉｎｔｅｒｎｅｔ　Ｅｎｇｉｎｅｅｒｉｎｇ　Ｓｔｅｅｒｉｎｇ　Ｇｒｏｕｐ）による承認によって公開される技術文書　）による１２８ｂｉｔのユニークＩＤ生成方法の提案である、ＲＦＣ９２７（ＵＵＩＤ：ｈｔｔｐ：／／ｗｗｗ．ｆａｑｓ．ｏｒｇ／ｒｆｃｓ／ｒｆｃ９２７．ｈｔｍｌ）などを利用して、被情報提供装置（の所持者）に付与するユニークなＩＤパラメーターを生成する方法などが考えられる。
【０１３９】＜アクセスしたサーバーで被情報提供装置ＩＤのパラメーターを生成する＞
【０１４０】また、被情報提供装置のＩＤパラメーターは、情報伝達手段５００が被情報提供装置内で生成する方法以外にも、様々な方法で生成することが出来る。
【０１４１】例えば、情報伝達手段にはアクセス先のパラメーターのみを記述し、情報伝達手段を受信した被情報提供装置がサーバー３５０にアクセスした際に、サーバー３５０がアクセス順位などを基準にしてユニークな被情報提供装置（所持者）ＩＤを発行し、被情報提供装置の記憶装置あるいは、情報伝達手段がそのユニークな被情報提供装置（所持者）ＩＤを記憶する事などが考えられる。
【０１４２】＜情報ツリー＞
【０１４３】情報伝達手段５００を受信した被情報提供装置がサーバー３５０にアクセスすると、インターネット上のサーバー３５０にはアクセスしてきた被情報提供装置同士の情報伝達手段の転送経路情報が蓄積されることになる。この転送経路情報を収集することで広告などの情報伝達が近距離無線通信による口コミ類似の伝達手段によって、どう広がって行ったのかを分析する事が出来る。
【０１４４】図１１は転送経路情報をツリー状に表現した例である。
例えば広告（情報提供装置）を設置した場所によって、或いは広告の内容（使用したタレントなど）によって、何人の消費者が興味を持ち情報伝達手段５００を受信し、何人の消費者がそれを近距離無線通信による口コミ類似の伝達手段によって、何人の消費者に広げていったのかが解析できるようになる。
【０１４５】情報伝達手段の転送情報を分析することにより、ただ単に広告などによって情報を提供するだけの従来の手法から、提供した情報がどのように伝達して行くのかを定量的に分析することが出来、広告などの情報提供の効果測定や、より効果が高い表示方法及び設置場所などを評価する方法を得る事が出来る。さらに、前述したように情報伝達手段５００に被情報提供装置が記憶する所持者の氏名や年齢や職業や連絡先などの所持者の属性或いは嗜好を収集する手段を備えさせる手段を備えさせる。
【０１４６】或いは情報伝達手段５００を受信してインターネット上のサーバー３５０にアクセスしてきた所持者に、サービスの提供に伴い所持者属性或いは嗜好を入力する手段を用意することにより情報転送経路に加え、所持者の属性や嗜好などの定性情報も得ることが出来る。
【０１４７】図１２は情報転送経路に加え、所持者の属性や嗜好などの定性情報も含めた情報をツリー状に表現した例である。
【０１４８】この転送経路情報ツリーが表しているのは、ある広告などの情報に興味を持った消費者の属性を伴った情報伝達経路であり、マーケット（見込み顧客など）のクラスターでもある。
【０１４９】企業などの情報提供者は、ある商品の広告でこの所持者の属性を含む情報伝達経路情報を得ることにより、この商品や広告の浸透度を測ることが出来る。
【０１５０】さらに情報伝達手段５００に受信日時のパラメーターを付加する。或いはサーバー３５０にアクセス日時のログを付加することで、この商品や広告の浸透の速度を図ることが出来る。
【０１５１】また、情報伝達経路上のどの所持者が商品を購入したかの情報を得ることで、実際に商品購入の度合いが高い所持者ツリーや所持者クラスター、或いは特定の伝達経路ごとの商品購入の確率などを図ることが出来る。
【０１５２】＜商品購入情報の取得方法の例＞
【０１５３】情報伝達経路状のどの所持者が商品を購入したかの情報を得るためには、アクセス先のサーバー３５０上で商品を販売する（ＥＣ：エレクトリックコマース）方法。
実世界の店舗などに設置されているＰＯＳ装置が近距離無線通信インターフェイスを利用して商品購入時に同時に所持者ＩＤ（パラメーター）を取得し、サーバー３５０に所持者ＩＤ（パラメーター）とその商品購入情報を送信する。
【０１５４】所持者ＩＤ（パラメーター）を被情報提供装置の表示装置９１にバーコードとして表示し、実世界の店舗などに設置されているＰＯＳ装置がバーコードリーダーを利用して商品購入時に同時に所持者ＩＤ（パラメーター）を取得し、サーバー３５０に所持者ＩＤ（パラメーター）とその商品購入情報を送信する。
【０１５５】所持者ＩＤ（パラメーター）を商品購入の際のキーワードにする、或いは割引クーポンにするなどして、実世界の店舗などネットワーク以外で商品を購入した所持者パラメーターを獲得しサーバー３５０に所持者ＩＤ（パラメーター）とその商品購入情報を送信する方法などが考えられる。
【０１５６】＜情報ツリーの利用方法＞
【０１５７】情報提供者が提供している広告以外の商品などの告知に利用できる。
リーダー的消費者を探す。
【０１５８】ある消費者が情報伝達手段５００を転送した相手が、商品を購入する確率が高い場合、転送する側の消費者は転送する側の消費者にとって、信頼できる情報源である、或いは消費者の商品購入動向に影響力の高いと言える、つまり口コミマーケティング或いはバイラルマーケティングにおける効果的なキーマンである可能性が高い。
【０１５９】このキーマン的な消費者を発見することにより、口コミマーケティング或いはバイラルマーケティングをさらに効果的に運用することが出来るようになる。
特定カテゴリーの商品に興味を持つ、消費者の情報伝達経路、及び消費者の集団（クラスタ）を特定でき、その集団に直接商品情報を送信できるようになり、広告などの情報伝達の効率化が期待できる。
【０１６０】＜マーケティング的な効果＞
【０１６１】特定カテゴリーの商品に興味を持つ消費者の集団（ターゲット）を特定できるため、その集団に直接アンケートを依頼するなどマーケティングの効率化が期待できる。
【０１６２】
＜情報収集を集中的に行うビジネスモデル＞
【０１６３】さらに、本発明に関わる情報伝達を集中的に管理するシステムにより、さらに効果的な情報伝達のマネージメントを行うことも可能である。
【０１６４】情報伝達を集中的に管理する事業者のサーバーを置くことで、様々なマーケティングデーターの収集分析を行うことが出来るようになる。
【０１６５】図１３は本発明を関わる情報伝達を集中的に管理するシステムを、略示的に示したブロック図である。
【０１６６】図の中で、３５００は情報伝達を集中的に管理するサーバーであり、３５１０は情報伝達を集中的に管理するデーターベースである。
３５１から３５３はＡ社、Ｂ社、Ｃ社それぞれの情報提供者のＷｅｂサーバーである。６Ａ、６Ｂ、６ＣはＡ社、Ｂ社、Ｃ社それぞれの情報提供者のための広告などに設置された情報提供装置である。
【０１６７】被情報提供装置Ｓ１は、Ａ社の広告に設置された情報提供装置６Ａから、情報伝達手段５００を受信する。
【０１６８】次に被情報提供装置Ｓ１は、情報伝達手段５００のアクセス先パラメーターである、サーバー３５００にアクセスする。
【０１６９】サーバー３５００は、被情報提供装置Ｓ１のＩＤパラメーターを、データーベース３５１０に登録する。
【０１７０】次にサーバー３５００は、被情報提供装置Ｓ１の接続をＡ社のサーバー３５１へリダイレクトする。
【０１７１】情報伝達を集中的に管理する場合には、情報伝達手段の最初のアクセス先が情報提供者のサーバーではなく情報伝達を集中的に管理する事業者のサーバーになる。
【０１７２】その場合の情報伝達手段のパラメーターは例えば以下のような構造になる。
【０１７３】ｈｔｔｐ：／／ｗｗｗ．ｋａｎｎｒｉ．ｃｏ．ｊｐ／　Ａｔｒａｖｅｌ．ｃｏ．ｊｐ／ｋａｋｕｙａｓｕ／ｓｈｉｂｕｙａ５／ｂ／０００１／
【０１７４】被情報提供装置Ｓ１は情報伝達手段５００に被情報提供装置Ｓ１のＩＤ「ｓｈｉｂｕｙａ５／ｂ／０００１／」を保持する。
【０１７５】情報伝達手段を受信した、被情報提供装置Ｓ１は最初に、情報伝達を集中的に管理する事業者のサーバー３５００にアクセスする。
【０１７６】アクセスを受けたサーバー３５００は、被情報提供装置のＩＤパラメーターｓｈｉｂｕｙａ５／ｂ／０００１／をデーターベース３５１０に登録した上で、Ａｔｒａｖｅｌ．ｃｏ．ｊｐ／へリダイレクトする。
【０１７７】被情報提供装置のＩＤ登録後は情報伝達を集中的に管理するシステムにおいて被情報提供装置Ｓ１はＩＤ「ｓｈｉｂｕｙａ５／ｂ／０００１／」で管理される。
【０１７８】情報伝達を集中的に管理するシステムにおける被情報提供装置Ｓ１のアクテビティは、どの情報提供装置から情報を収集した場合にも、あるいは商品を購入した場合にも、「ｓｈｉｂｕｙａ５／ｂ／０００１／」で管理される記録（レコード）に情報が蓄積される。
【０１７９】＜応用の例＞
【０１８０】情報伝達手段に記憶された被情報提供装置のＩＤを利用して、広告などのみならず被情報提供装置からネットワークへのアクセス全般を制御する事もできる。
また扱う情報としてＵＲＬだけではなく画像や楽曲などを交換することもできる。
【０１８１】図１４は、被情報提供装置が情報を転送できる回数を一回に制限した場合の、情報伝達経路情報の例を示した図である。
【０１８２】情報転送の回数を減らすと、情報が到達する絶対数は減少するが、逆に情報そのもののの希少価値が増加する、或いは例えば１００人目の情報転送者に特別なプレゼントを提供するなどのマーケティング的な効果を得ることが出来る。
【０１８３】被情報提供装置が情報を転送できる回数は、被情報提供装置で動作する情報伝達手段に、転送回数の制限を記述する事で実現できる。
【０１８４】図１５は、電車などの車両内に情報提供装置を設置した例の概念図である。電車などの車両に設置された広告や画像モニターに本発明に関わる情報提供装置を設置することで、気になる広告などの詳細情報の問い合わせ先や、購入先などの情報を被情報提供装置で取得することが出来る。
【０１８５】
【発明の効果】
以上説明してきたように本発明によって、携帯電話などの携帯型の情報端末を被情報提供装置として、広告などの情報を簡単に携帯端末に取得させ、さらに携帯端末同士で口コミ類似の情報伝達が可能な情報伝達手段を交換する方法を提供し、消費者同士の口コミ類似の情報伝達を情報提供者が追跡し分析することで産業活動に役立てることが出来るシステムを構築する事が出来た。
【図面の簡単な説明】
【図１】本発明に関わる、システム全体を略示的に示したブロック図
【図２】接続先の情報処理装置の概念図
【図３】システム例その２
【図４】システム例その２のバリエーション
【図５】情報提供装置の制御装置のブロック図
【図６】情報提供装置から携帯電話への広告関連情報送信の通信シーケンス
【図７】被情報提供装置同士が情報伝達手段交換を行う概念図
【図８】被情報提供装置同士の情報伝達手段交換の通信シーケンス
【図９】情報伝達手段の構成例
【図１０】被情報提供装置のブロック図
【図１１】情報伝達手段の収集による所持者情報ツリーの例１
【図１２】情報伝達手段の収集による所持者情報ツリーの例２
【図１３】情報伝達を集中的に管理するシステムのブロック図
【図１４】情報伝達手段の収集による所持者情報ツリーの例３　シリアル配布
【符号の説明】
３００はインターネットあるいは電話網などのネットワーク、
３５０はインターネット上のＷｅｂサーバー或いは電話問い合わせセンターなど、
３７０及び３７１は携帯電話の基地局或いはホットスポットなどの無線中継装置、
３７５及び３７６は携帯電話のあるいはホットスポットのゲートウェイサーバー、
Ｓ１、Ｓ２は所持者が所持する被情報提供装置、
９１は被情報提供装置のディスプレイ、
９２は被情報提供装置のメモリ、
９３は被情報提供装置のＣＰＵ、
９８は被情報提供装置の近距離無線通信の送受信インターフェイス、
９９は被情報提供装置の操作部、
６００はサーバー３５０の記憶装置、
５００は情報伝達手段、
５５０は情報伝達手段５００のパラメーター生成手段、
６は情報提供装置、
６１０は情報提供装置の表示手段、
６６０は情報提供装置の制御装置であり、
８は近距離無線通信の送受信インターフェイスである。
６５０は情報提供装置の制御装置、
６１はＣＰＵ、
６２はメモリ、
６３は端末種別判断手段、
６４は不発揮性記憶装置、
６６は装置ＩＤ付加モジュール、
６８は端末別コンテンツ変換装置、
６９はＩ／Ｏ装置、
２は着脱式の記憶装置のインターフェイス（ＩＣカード等）、
９は被情報提供装置のハードウェア、
９００は被情報提供装置の様々な動作を司るＯＳ（オペレーションシステム）、
９４０はＡＰＩ（アプリケーションプログラムインターフェイス）
、
９５０は情報伝達手段５００のＡＰＩ（アプリケーションプログラムインターフェイス）、
９１０は情報伝達手段５００のプログラム実行環境、
【図１】
2004070541.tif 000003
【図２】
2004070541.tif 000004
【図３】
2004070541.tif 000005
【図４】
2004070541.tif 000006
【図５】
2004070541.tif 000007
【図６】
2004070541.tif 000008
【図７】
2004070541.tif 000009
【図８】
2004070541.tif 000010
【図９】
2004070541.tif 000011
【図１０】
2004070541.tif 000012
【図１１】
2004070541.tif 000013
【図１２】
2004070541.tif 000014
【図１３】
2004070541.tif 000015
【図１４】
2004070541.tif 000016
【図１５】
2004070541.tif 000017
【手続補正書】
【提出日】平成14年8月22日(2002.8.22)
【手続補正１】
【補正対象書類名】明細書
【補正対象項目名】図１５
【補正方法】追加
【補正の内容】
【図１５】電車などの車両内に情報提供装置を設置した例の概念図